(57)【要約】本発明は、下り受信状態をフィードバックするための方法を開示した。その中、基地局（２）から端末（１）に送信された無線リソース制御（ＲＲＣ）シグナリングには前記端末が下り受信状態をフィードバックするときに採用されるフィードバックモードを指示するための制御パラメータが携帯される。前記端末は、現在の上りサブフレームと下りサブフレームの配置状況及びシステムに規定された上りフィードバックタイミング関係に基づいて、現在のフィードバックモードに従ってその複数の下りサブフレームの物理下り共有チャネル（ＰＤＳＣＨ）でのデータの受信状態を、同一の上りサブフレームで前記基地局にフィードバックする。
2011527536.tif 000002
【特許請求の範囲】
【請求項１】
基地局から端末に送信された無線リソース制御（ＲＲＣ）シグナリングには前記端末が下り受信状態をフィードバックするときに採用されるフィードバックモードを指示するための制御パラメータが携帯され、
前記端末は、現在の上りサブフレームと下りサブフレームの配置状況及びシステムに規定された上りフィードバックタイミング関係に基づいて、前記フィードバックモードに従ってその複数の下りサブフレームの物理下りリング共有チャネル（ＰＤＳＣＨ）でのデータの受信状態を、同一の上りサブフレームで前記基地局にフィードバックすること、
を特徴とする下り受信状態のフィードバック方法である。
【請求項２】
前記フィードバックモードは、下りマルチサブフレーム確認情報バンディングモードまたは下りマルチサブフレーム確認情報多重化モードであることを特徴とする請求項１に記載の方法。
【請求項３】
前記基地局は、前記端末の上り信号の品質に基づいて下り受信状態をフィードバックするときに採用されるフィードバックモードを特定し、前記上り信号の品質が予め定められた閾値より小さい場合、前記制御パラメータにより、前記端末が下り受信状態をフィードバックするときに前記下りマルチサブフレーム確認情報バンディングモードを採用することを指示し、
前記上り信号の品質が予め定められた閾値よりも以上である場合、前記制御パラメータにより、前記端末が下り受信状態をフィードバックするときに前記下りマルチサブフレーム確認情報多重化モードを採用することを指示すること、をさらに含むことを特徴とする請求項２に記載の方法。
【請求項４】
前記上り信号の品質は、上り信号の強度で示されることを特徴とする請求項３に記載の方法。
【請求項５】
前記端末が前記下りマルチサブフレーム確認情報バンディングモードを指示する制御パラメータを受信した場合、現在の上りサブフレームと下りサブフレームの配置状況に基づいて、システムに予め配置されたフィードバックタイミング関係テーブルでフィードバックするための上りサブフレームを検索し、
前記端末は、その下りマルチサブフレームのＰＤＳＣＨでのデータの受信状態の確認情報を論理と操作により１ビットの確認情報にバンディングし、相応する上りサブフレームで前記基地局に送信すること、をさらに含むことを特徴とする請求項３に記載の方法。
【請求項６】
前記端末が前記下りマルチサブフレーム確認情報多重化モードを指示する制御パラメータを受信した場合、現在の上りサブフレームと下りサブフレームの配置状況に基づいて、システムに予め配置されたフィードバックタイミング関係テーブルでフィードバックするための上りサブフレームを検索し、
前記端末は、下りマルチサブフレームのＰＤＳＣＨでのデータの受信状態の確認情報を、多重化方式により相応する上りサブフレームで前記基地局に送信すること、をさらに含むことを特徴とする請求項３に記載の方法。
【請求項７】
前記ＲＲＣシグナリングにＲＲＣ接続再配置情報とＲＲＣ接続確立情報が含まれることを特徴とする請求項１に記載の方法。
【請求項８】
前記制御パラメータは、ＲＲＣ接続再配置情報またはＲＲＣ接続確立情報の物理上りリンク制御チャネル専用配置情報ユニットに携帯されることを特徴とする請求項１に記載の方法。
【請求項９】
前記基地局は、１ビットの制御パレメータを設置し、２つの値で下り受信状態をフィードバックするときに採用される相応のフィードバックモードをそれぞれ示すことを特徴とする請求項２に記載の方法。
【請求項１０】
前記下り受信状態をフィードバックする方法は、下りサブフレームの数が上りサブフレームの数より多い長期発展型システムにおける時分割複信モードに応用されることを特徴とする請求項１に記載の方法。
【発明の詳細な説明】
【技術分野】
【０００１】
本発明は、無線通信領域に関し、特に、下り受信状態をフィードバックするための方法に関する。
【背景技術】
【０００２】
ＬＴＥ（Ｌｏｎｇ  Ｔｅｒｍ  Ｅｖｏｌｕｔｉｏｎ：長期発展型）システムにおけるＴＤＤ（Ｔｉｍｅ  Ｄｉｖｉｓｉｏｎ  Ｄｕｐｌｅｘ：時分割複信）モードを、図１に示す。このフレーム構造では、１０ｍｓの無線フレーム（ｒａｄｉｏ  ｆｒａｍｅ）が半分ずつの２個のフレームに分けられ、各半分フレーム（ｈａｌｆ  ｆｒａｍｅ）が長さ０．５ｍｓの１０個のスロットに分けられ、２個のスロットが長さ１ｍｓのサブフレームを１個分を構成する。１個の半分フレームに５個のサブフレームが含まれる。このようなフレーム構造には、サブフレームの配置の特徴は以下の通りである。
（１）サブフレーム０が固定的に下りリンクに用いられる。
（２）サブフレーム１（以下、特殊なサブフレームという）にＤｗＰＴＳ（Ｄｏｗｎｌｉｎｋ  Ｐｉｌｏｔ  Ｔｉｍｅ  Ｓｌｏｔ：下りパイロットタイムスロット）、ＧＰ（Ｇｕａｒｄ  Ｐｅｒｉｏｄ：ガードピリオド）、ＵｐＰＴＳ（Ｕｐｌｉｎｋ  Ｐｉｌｏｔ  Ｔｉｍｅ  Ｓｌｏｔ：上りパイロットタイムスロット）という３つの特殊なスロットが含まれる。その中には、
ＤｗＰＴＳは、下りリンクに用いられ、Ｐ−ＳＣＨ（Ｐｒｉｍａｒｙ−Ｓｙｎｃｈｒｏｎｉｚａｔｉｏｎ  Ｃｈａｎｎｅｌ：一次同期化チャネル）、ＰＤＳＣＨ（Ｐｈｙｓｉｃａｌ  Ｄｏｗｎｌｉｎｋ  Ｓｈａｒｅ  Ｃｈａｎｎｅｌ：物理下りリンク共有チャネル）などの信号を伝送することに用いられる。
ＧＰは、いかなるデータも伝送しない保護時間である。
ＵｐＰＴＳは、上りリンクに用いられ、ＲＡＣＨ（Ｒａｎｄｏｍ  Ａｃｃｅｓｓ  Ｃｈａｎｎｅｌ：ランダムアクセスチャネル）、ｓｏｕｎｄｉｎｇ（探査）パイロッドなどの信号を伝送することに用いられる。
（３）サブフレーム２は、固定的に上りリンクの伝送に用いられる。
【０００３】
このフレーム構造は、多種の上り／下り割合配置を支持することができる。表１にＬＴＥ  ＴＤＤが配置した７種類の上り／下りサブフレーム配置を示し、その中、ＤＬ／Ｄで下りを示し、ＵＬ／Ｌで上りを示し、Ｓで特殊なサブフレームを示す。例えば、配置１の場合、サブフレーム２、３、７、８が上りリンクの伝送に用いられ、サブフレーム０、４、５、９が下りリンクの伝送に用いられ、また特殊なサブフレーム１、６におけるＤｗＰＴＳ部分符号も下り伝送に用いられる。
【０００４】
【表１】
2011527536.tif 000003
避けられないハードウェアの処理遅延及び時分割複信の特性のため、ＬＴＥ  ＴＤＤシステムが上りフィードバックした下り受信状態ＡＣＫ（Ａｃｋｎｏｗｌｅｄｇｅｍｅｎｔ：肯定応答）、ＮＡＣＫ（Ｎｅｇａｔｉｖｅ−Ａｃｋｎｏｗｌｅｄｇｅｍｅｎｔ：否定応答）又は下り制御シグナリングの欠落による間欠送信状態（Ｄｉｓｃｏｎｔｉｎｕｏｕｓ  Ｔｒａｎｓｍｉｓｓｉｏｎ：ＤＴＸと略称され、フィードバックまたはＮＡＣＫによる代替またはフィードバックの表示を隠れることができる）の伝送タイミングは、予め配置される必要がある。現在のＬＥＴ  ＴＤＤに、端末の下りサブフレームｎの物理下りリンク共有チャネル（Ｐｈｙｓｉｃａｌ  Ｄｏｗｎｌｉｎｋ  Ｓｈａｒｅｄ  Ｃｈａｎｎｅｌ：ＰＤＳＣＨ）での受信状態フィードバック情報ＡＣＫ／ＮＡＣＫを、ｎ＋ｋ（ｋ＞３）る上りサブフレームでフィードバックするべきであると規定される。変数ｋの値は、ｎとＤＬ／ＵＬサブフレームの配置によって決定される。表２に異なるＤＬ／ＵＬサブフレームの配置の下で下りサブフレームｎに対応する上りフィードバックタイミング索引ｋの値を示す。
【０００５】
【表２】
2011527536.tif 000004
ＬＴＥ  ＴＤＤシステムにおいて、表１から明らかように、いくつかＤＬ／ＵＬサブフレームの配置の下で、下りサブフレームの数が上りサブフレームの数より多いことがあり、これは、１個の上りサブフレームが複数の下りサブフレームのＰＤＳＣＨにおけるＡＣＫ／ＮＡＣＫ情報をフィードバックする必要があることを意味している。表３に、表１に示すようにＤＬ／ＵＬのサブフレームを配置する場合、各上りサブフレームがフィードバックする必要がある下りＰＤＳＣＨにおけるＡＣＫ／ＮＡＣＫ情報の最確数を示す。
【０００６】
【表３】
2011527536.tif 000005
ＬＴＥにおける上りリンクがシングルキャリアの特性を満たす必要があるため、現在の下りサブフレームの数が上りサブフレームの数より多い場合、どのように１つのＰＵＣＣＨ（Ｐｈｙｓｉｃａｌ  Ｕｐｌｉｎｋ  Ｃｏｎｔｒｏｌ  Ｃｈａｎｎｅｌ：物理上りリンク制御チャネル）リソースで複数の下りサブフレームのＰＤＳＣＨで受信されたＡＣＫ／ＮＡＣＫ情報をフィードバックするという問題を解決する必要がある。ここで１つのＰＵＣＣＨリソースは、上り制御シグナリングを携帯する最小な物理リソース、つまり、ＬＴＥに規定される１つの物理リソースブロック（Ｒｅｓｏｕｒｃｅ  Ｂｌｏｃｋ：ＲＢ）を示す。なお、ＬＴＥにおいて、また端末がフィードバックフレームにＰＵＳＣＨ（Ｐｈｙｓｉｃａｌ  Ｕｐｌｉｎｋ  Ｓｈａｒｅｄ  Ｃｈａｎｎｅｌ：物理上りリンク共有チャネル）を配置された場合、下り受信状態ＡＣＫ／ＮＡＣＫをＰＵＳＣＨで送信するが、同様には、この場合に、どのように当該端末が持ったＰＵＳＣＨリソースで複数の下りサブフレームのＰＤＳＣＨで受信されたＡＣＫ／ＮＡＣＫ情報をフィードバックすることを考える必要もあると規定されている。上述した１個のサブフレームでＬＴＥ  ＴＤＤ端末が存在する複数のＡＣＫ／ＮＡＣＫビット伝送問題を処理するために、現在のＬＴＥ  ＴＤＤシステムは、下りマルチサブフレーム確認情報バンディング（ＡＣＫ／ＮＡＣＫ  ｂｕｎｄｌｉｎｇ）フィードバックモード、即ち、上り／下り伝送のタイミング関係に基づいて、端末が同一の上りサブフレームでフィードバックする必要がある複数の下りスケジュールサブフレームのＰＤＳＣＨにおけるデータ受信状態情報（ＡＣＫ／ＮＡＣＫ  ）を、バンディングすると規定され、空間分割によるデータストリーム（ｓｐａｔｉａｌ  ｃｏｄｅｗｏｒｄ  ｓｔｒｅａｍ：空間コードワードストリームともいう）に対して、複数の下サブフレームの受信状態を論理積演算を行うことにより１つのバンディングされたＡＣＫ／ＮＡＣＫビットを複数の下り受信状態のフィードバックとして形成する（この上りサブフレームで多くとも１ビットのＡＣＫ／ＮＡＣＫを複数の下りデータ受信状態のフィードバックとしてフィードバックすることしかできない）というモードを導入する。図２に示すように、ＰＤＳＣＨがシングルコードワードストリームで伝送するとする場合、複数の下りサブフレームのＡＣＫ／ＮＡＣＫビットを、論理積演算を行うことにより１ビットのＡＣＫ／ＮＡＣＫを形成して送信するが、ＰＵＣＣＨで伝送されるとする場合、ＬＴＥシステムに定義されるフォーマット１ａ（ＰＵＣＣＨ  ｆｏｒｍａｔ  １ａ）が利用されることができる。図３に示すように、ＰＤＳＣＨがダイコードワードストリームで伝送されるとする場合、コードワードストリームごとに、複数の下りサブフレームのＡＣＫ／ＮＡＣＫを、論理積演算を行うことにより１ＡＣＫ／ＮＡＣＫビットを形成し、このように、ダイコードワードストリームが生じたこの２ビットは、ＰＵＣＣＨで伝送される場合、フォーマット１ｂ（ＰＵＣＣＨ  ｆｏｒｍａｔ  １ｂ）を採用することができる。
【０００７】
しかし、ＡＣＫ／ＮＡＣＫ  ｂｕｎｄｌｉｎｇを採用する欠点は、余計な再送が大量になるため、システムのスールプットを極めて大きく低減させてしまう。つまり、１個の下りサブフレームのＰＤＳＣＨが対応する確認情報がＮＡＣＫであれば、結果としてＮＡＣＫであるため、基地局は、端末のすべての下りサブフレームのＰＤＳＣＨデータを再送する必要がある。すべての下りサブフレームのＰＤＳＣＨが対応する確認情報がいずれもＡＣＫである場合のみ、結果としてＡＣＫであり、すべての下りサブフレームのＰＤＳＣＨ受信が正確であることを示す。システムのスールプットを高めてスペクトルの利用率の要求を達成するために、ＡＣＫ／ＮＡＣＫ  ｂｕｎｄｌｉｎｇをもとに、下りマルチサブフレーム確認情報多重化（ＡＣＫ／ＮＡＣＫ  ｍｕｌｔｉｐｌｅｘｉｎｇ）というフィードバックモードを考えることが十分な必要である。即ち、ある端末が１個の上りサブフレームで複数のサブフレームのＰＤＳＣＨ受信状態情報であるＡＣＫ／ＮＡＣＫをフィードバックする必要がある場合、異なる下りサブフレームのＡＣＫ／ＮＡＣＫビットは、ある多重化により上りサブフレームで同期に送信される。端末は、同一の上りサブフレームで複数の下りサブフレームの受信状態をフィードバックする必要がある場合、異なる下りサブフレームの受信状態の間にいなかる論理積演算を行わず、この上りサブフレームで多重化により各下りサブフレームの受信状態をそれぞれフィードバックする。図４に示すように、端末がある上りサブフレームで４つの下りＰＤＳＣＨのＡＣＫ／ＮＡＣＫをフィードバックする必要がある場合、各下りのＰＤＳＣＨは１ＡＣＫ／ＮＡＣＫビットに対応することができる（ダイコードワードストリームの場合、１ビットのみをフィードバックことができ、空間分割コードワードストリームの場合、まずバンディングする必要がある）。この４ＡＣＫ／ＮＡＣＫビットは、符号分割などの方式によりＰＵＣＣＨまたはＰＵＳＣＨに多重化される。
【０００８】
しかしながら、ＡＣＫ／ＮＡＣＫ  ｍｕｌｔｉｐｌｅｘｉｎｇは、ＰＵＣＣＨに多重化されるＡＣＫ／ＮＡＣＫビット数が増加する場合、上りオーバーが制限される欠点がある。上りオーバーとスールトップの２つの要素を考え、ＬＴＥ  ＴＤＤシステムが２種類の複数のＡＣＫ／ＮＡＣＫビットのバンディングモード、即ち、下りマルチサブフレーム確認情報バンディング（ＡＣＫ／ＮＡＣＫ  ｂｕｎｄｌｉｎｇ）と下りマルチサブフレーム確認情報多重化（ＡＣＫ／ＮＡＣＫ  ｍｕｌｔｉｐｌｅｘｉｎｇ）とを支持することが望ましいが、各モードの下で、１種類のフィードバック構成を定義するだけで、シグナリングのオーバーヘッドを節約する。システムが２種類のモードのいずれかの１つを選択して採用することができる。上述したように、ＬＴＥ  ＴＤＤシステムが前記２種類のフィードバックモードを支持すれば、ＬＴＥ  ＴＤＤシステムの性能及び効率が高まるように、この２種類のフィードバックモードを有効に配置する必要がある。
【発明の概要】
【発明が解決しようとする課題】
【０００９】
本発明の解決しようとする技術的な課題は、システムが柔軟的に適切なモードを配置することにより下り受信状態をフィードバックすることができるように、下り受信状態をフィードバックするための方法を提供することにある。
【課題を解決するための手段】
【００１０】
下り受信状態をフィードバックするための方法は、基地局から端末に送信された無線リソース制御（ＲＲＣ）シグナリングには端末が下り受信状態をフィードバックするときに採用されるフィードバックモードを指示するための制御パラメータが携帯され、端末が、現在の上りサブフレームと下りサブフレームの配置状況及びシステムに規定された上りフィードバックタイミング関係に基づいて、前記フィードバックモードに従ってその複数の下りサブフレームの物理下りリング共有チャネル（ＰＤＳＣＨ）でのデータの受信状態を、同一の上りサブフレームで基地局にフィードバックする。
【００１１】
さらに、前記フィードバックモードは、下りマルチサブフレーム確認情報バンディングモードまたは下りマルチサブフレーム確認情報多重化モードである。
【００１２】
さらに、基地局は、端末の上り信号の品質に基づいて下り受信状態をフィードバックするときに採用されるフィードバックモードを特定し、前記上りの信号の品質が予め定められた閾値より小さい場合、前記制御パラメータにより、端末が下り受信状態をフィードバックするときに下りマルチサブフレーム確認情報バンディングモードを採用することを指示し、前記上り信号の品質が予め定められた閾値よりも以上である場合、前記制御パラメータにより、端末が下り受信状態をフィードバックするときに下りマルチサブフレーム確認情報多重化モードを採用することを指示する。
【００１３】
さらに、前記上り信号の品質は、上り信号の強度で示される。
【００１４】
さらに、端末が下りマルチサブフレーム確認情報バンディングモードを指示する制御パラメータを受信した場合、現在の上りサブフレームと下りサブフレームの配置状況に基づいて、システムに予め配置されたフィードバックタイミング関係テーブルでフィードバックするための上りサブフレームを検索し、端末は、複数の下りサブフレームのＰＤＳＣＨでのデータの受信状態状態確認情報を、論理積演算を行うことにより１ビットの確認情報にバンディングし、相応する上りサブフレームで基地局に送信する。
【００１５】
さらに、端末が下りマルチサブフレーム確認情報多重化モードを指示する制御パラメータを受信した場合、現在の上りサブフレームと下りサブフレームの配置状況に基づいて、システムに予め配置されたフィードバックタイミング関係テーブルでフィードバックするための上りサブフレームを検索し、端末は、その複数の下りサブフレームのＰＤＳＣＨでのデータの受信状態確認情報を、多重化方式により相応する上りサブフレームで基地局に送信する。
【００１６】
さらに、前記ＲＲＣシグナリングには、ＲＲＣ接続再配置情報とＲＲＣ接続確立情報が含まれる。
【００１７】
さらに、前記制御パラメータは、ＲＲＣ接続再配置情報またはＲＲＣ接続確立情報の物理上りリンク制御チャネル専用配置情報ユニットに携帯される。
【００１８】
さらに、前記基地局は、１ビットの制御パレメータを設置し、２つの値で下り受信状態をフィードバックするときに採用されるフィードバックモードをそれぞれ示す。
【００１９】
さらに、前記下り受信状態をフィードバックする方法は、下りサブフレームの数が上りサブフレームの数より多い長期発展型システムにおける時分割複信モードに応用される。
【００２０】
従来の技術に比べて、本発明は、システムが柔軟的に適切なモードを配置することで下り受信状態をフィードバックさせることができ、かつ基地局がセルでのいずれかのＵＥをＡＣＫ／ＮＡＣＫ  ｂｕｎｄｌｉｎｇモードまたはＡＣＫ／ＮＡＣＫ  ｍｕｌｔｉｐｌｅｘｉｎｇモードに配置することができ、基地局の自身の判断準則に基づいて、セルのエッジにあるまたはフィードバック信号が弱いＵＥに対して、複数ビットのＡＣＫ／ＮＡＣＫをフィードバックする必要がある場合、当該ＵＥ  がＡＣＫ／ＮＡＣＫ  ｂｕｎｄｌｉｎｇモードを使用することを指示して下り受信状態をフィードバックするときの上り信号の受信性能を保証するとともに、セルの中央にあるまたはチャネルの条件がよいＵＥに対して、当該ＵＥ  がＡＣＫ／ＮＡＣＫ  ｍｕｌｔｉｐｌｅｘｉｎｇモードを使用することを指示してスールプットを高める。
【図面の簡単な説明】
【００２１】
【図１】従来技術におけるＬＴＥ  ＴＤＤシステムが採用するフレーム構造を示す図である。
【図２】シングルコードワードストリームの場合でＡＣＫ／ＮＡＣＫ  ｂｕｎｄｌｉｎｇを採用して複数のＡＣＫ／ＮＡＣＫビットのフィードバックを実現することを示す図である。
【図３】ダイコードワードストリームの場合でＡＣＫ／ＮＡＣＫ  ｂｕｎｄｌｉｎｇを採用して複数のＡＣＫ／ＮＡＣＫビットのフィードバックを実現することを示す図である。
【図４】ダイコードワードストリームの場合のＡＣＫ／ＮＡＣＫ  ｍｕｌｔｉｐｌｅｘｉｎｇを示す図である。
【図５】本発明の実施例に係る基地局により端末の下り受信状態フィードバックモードを配置するシグナリングフローチャットである。
【図６】本発明の実施例を示す図である。
【発明を実施するための形態】
【００２２】
本発明は、伝統な技術案に存在する問題を解決するために、以下の具体的な実施例で本発明による下り受信状態をフィードバックするための方法をさらに説明する。以下、具体的な実施態様を詳しく説明するが、本発明を限定するものではない。
【００２３】
本発明は、ＬＴＥ  ＴＤＤシステムにおけるＤＬ／ＵＬサブフレーム配置における下りサブフレームの数が上りサブフレームの数より多い場合、つまり、１個の上りサブフレームで複数の下り受信状態をフィードバックする必要があるかもしれない場合、すなわち、ＬＴＥ  ＴＤＤシステムにおけるＤＬ／ＵＬサブフレームの配置が１−５（表１を参照する）である場合に応用されることができる。
【００２４】
まず、システムは、ＲＲＣシグナリング（例えば、ＲＲＣ  Ｃｏｎｎｅｃｔｉｏｎ  Ｒｅｃｏｎｆｉｇｕｒａｔｉｏｎメッセージ、ＲＲＣ  Ｃｏｎｎｅｃｔｉｏｎ  Ｓｅｔｕｐメッセージ）に制御パラメータを携帯して、基地局から下りデータを端末に送信する際に、当該端末が下り受信状態をフィードバックするときに採用するフィードバックモードを通知する。
【００２５】
基地局は、端末の上り信号の品質に基づいて下り受信状態をフィードバックするときに採用されるフィードバックモードを特定し、上り信号の品質が従来のモードに基づて取得されることができ、例えば、上り信号の強度パラメーターに基づいて取得される。
【００２６】
基地局は、セルのエッジにあるまたは上り信号の弱いＵＥ（上り信号の品質が予め定めれた閾値より小さい）に対して、前記制御パラメータにより、ＵＥが下り受信状態をフィードバックするときにＡＣＫ／ＮＡＣＫ  ｂｕｎｄｌｉｎｇモードを採用することを指示することにより、下り受信状態をフィードバックする時の上り信号の受信性能を保証するとともに、セルの中央にあるまたはチャネル条件がよいＵＥ（上り信号の品質が予め定められた閾値よりも以上）に対して、前記制御パラメータにより、ＵＥがＡＣＫ／ＮＡＣＫ  ｍｕｌｔｉｐｌｅｘｉｎｇモードを採用することを指示することにより、スールプットを高める。
【００２７】
具体的に、制御パラメータをＲＲＣ  Ｃｏｎｎｅｃｔｉｏｎ  ＲｅｃｏｎｆｉｇｕｒａｔｉｏｎメッセージまたはＲＲＣ  Ｃｏｎｎｅｃｔｉｏｎ  Ｓｅｔｕｐメッセージにおける現在の構造のうちのＰＵＣＣＨの配置情報ユニットに携帯することにより実現される。このＰＵＣＣＨ専用配置情報ユニットは、端末に配置される専用情報ユニット（Ｉｎｆｏｒｍａｔｉｏｎ  Ｅｌｅｍｅｎｔ）である。
【００２８】
例えば、当該パラメータを１ビットとし、０でＡＣＫ／ＮＡＣＫ  ｂｕｎｄｌｉｎｇモードを採用することを示し、１でＡＣＫ／ＮＡＣＫ  ｍｕｌｔｉｐｌｅｘｉｎｇモードを採用することを示してもよく、０でＡＣＫ／ＮＡＣＫ  ｍｕｌｔｉｐｌｅｘｉｎｇモードを採用することを示し、１でＡＣＫ／ＮＡＣＫ  ｂｕｎｄｌｉｎｇモードを採用することを示してもよい。フィードバックモード制御パラメータに対するバリューセレクト方式は、本発明に対する制限を構成しない。以下の実施例において、第１種のバリューセレクト方式を準にして説明し、０でＡＣＫ／ＮＡＣＫ  ｂｕｎｄｌｉｎｇモードを採用することを示し、１でＡＣＫ／ＮＡＣＫ  ｍｕｌｔｉｐｌｅｘｉｎｇモードを採用することを示す。
【００２９】
図５は、本発明の実施例に係る基地局により端末の下り受信状態のフィードバックモードを配置するシグナリングプローチャットである。あるセルの基地局が複数の下りサブフレームのＰＤＳＣＨをＵＥにスケジュールする場合、ＵＥは、基地局から送信されたＲＲＣシグナリング（例えば、ＲＣＣ接続再配置メッセージ、ＲＲＣ接続確立メッセージ）での制御パラメータを受信し読み出すことにより、自身が採用するべきなフィードバックモードを取得して、上りフィードバックタイミング関係（表２及び表３に示すように）と取得したフィードバックモードに基づいて予め定められた上りサブフレームでフィードアックすることができる。
【００３０】
以下、１つの実施例で説明する。ＬＴＥ  ＴＤＤシステムにおいて予め上りフィードバックタイミング関係（表２を参照する）を配置しておき、ＵＥは、基地局から送信されたシステム情報に基づいて上りサブフレームと下りサブフレームの配置状況（表１を参照し、その中のＤＬ／ＵＬサブフレームの配置が４であるものを例とする）を取得する。
【００３１】
図６に示すように（説明が容易になるために、当該図に２個の無線フレームのサブフレームに対して通し番号を付け、すなわち、０−１９という２０個のサブフレーム）、下りサブフレーム０、１、４、５のＰＤＳＣＨでは全てＵＥ１のデータ伝送をスケジュールし、且つシングルコードワードストリームを採用して伝送し、下りサブフレーム６、７、８、９のＰＤＳＣＨではＵＥ２のデータ伝送をスケジュールし、且つシングルコードワードストリームを採用して送信するとして、ＵＥは、各サブフレームのＰＤＳＣＨにおける受信状態に基づいて１ビットの下り受信状態確認情報ＡＣＫ／ＮＡＣＫを生成する。
【００３２】
ＵＥ１は、ＲＣＣ  Ｃｏｎｎｅｃｔｉｏｎ  ｒｅｃｏｎｆｉｇｕｒａｔｉｏｎメッセージでの制御パラメータを受信し読み出すことにより制御パラメータの値が０であることを知り、すなわち、ｂｕｎｄｌｉｎｇモードを採用して、システムに規定されたフィードバックタイミング関係（表２におけるＤＬ／ＵＬサブフレームの配置が４である項目、サブフレーム０、１、４、５のｎ＋Ｋがいずれも１２である）に基づいて、上りサブフレーム１２で論理積演算を行うことにより、４ビットの下り受信状態確認情報ＡＣＫ／ＮＡＣＫを１ビットのＡＣＫ／ＮＡＣＫに合成してフィードバックする。その中、１つの下りサブフレームの受信状態がＮＡＣＫであるため、論理積演算を行うことにより、ＵＥは１ビットのＮＡＣＫをフィードバックし、基地局は前の４個の下りサブフレームで送信されたデータを再送する。このように、当該モードによる余計な再送が発生してしまい、スールトップを低減させるため、セルのエッジにあるユーザに適用することを知ることができる。
【００３３】
ＵＥ２は、ＲＣＣ  Ｃｏｎｎｅｃｔｉｏｎ  ｒｅｃｏｎｆｉｇｕｒａｔｉｏｎメッセージでの制御パラメータを受信し読み出すことにより制御パラメータが値が１であることを知り、すなわち、ｍｕｌｔｉｐｌｅｘｉｎｇモードを採用して、システムに規定されたフィードバックタイミング関係（表２におけるＤＬ／ＵＬサブフレームの配置が４である項目、すなわち、サブフレーム６、７、８、９のｎ＋Ｋがいずれも１３である）に基づいて、上りサブフレーム１３で既存の多重化方法（例えば、時分割多重化、空間分割多重化）により４ビットの下り受信状態確認情報ＡＣＫ／ＮＡＣＫをフィードバックする。この場合、下りサブフレーム６の受信状態がＮＡＣＫであれば、下りサブフレーム６のデータを再送し、下りサブフレーム７、８、９のデータを再送しない。このように、当該モードによるスールプットの低減が著しくないが、複数のＡＣＫ／ＮＡＣＫの多重化によって上りオーバーが低減する。
【００３４】
したがって、ＲＲＣ専用シグナリングに１つのフィードバックモード制御パラメータを増加することにより、フィードバックモード制御がＵＥが特定した（ＵＥ−Ｓｐｅｃｉｆｉｃ）モードであることができて、このように基地局は、柔軟的にセルでの各ＵＥのフィードバックモードを配置して、システムのスールプットとオーバー能力を両立させることができる。
【００３５】
本発明は様々な実施例が可能である。実質及び要旨を逸脱しない範囲で、当業者が本発明に対して様々の改良及び切替したものは、本発明の特許請求の範囲に含まれると理解すべきである。
【産業上の利用可能性】
【００３６】
本発明の下り受信状態をフィードバックするための方法によれば、システムに柔軟的に適切なモードを配置することで、下り受信状態をフィードバックさせることができる。本発明によれば、ＬＴＥ  ＴＤＤシステムは、下りマルチサブフレーム確認情報バンディングと下りマルチサブフレーム確認情報多重化とのフィードバックモードを支持して、各フィードバックモードの下で１種類のフィードバック構成を定義することだけでシグナリングのオーバーヘッドを低減し制御して、ＬＴＥ  ＴＤＤシステムの性能及び効率を向上し、余計な再送を回避し、システムのスールプットを増加させる。
【図１】
2011527536.tif 000006
【図２】
2011527536.tif 000007
【図３】
2011527536.tif 000008
【図４】
2011527536.tif 000009
【図５】
2011527536.tif 000010
【図６】
2011527536.tif 000011
【国際調査報告】
2011527536.tif 000012
2011527536.tif 000013
2011527536.tif 000014
2011527536.tif 000015